(57)【要約】【課題】かご内に居るエレベータ利用者が非常呼びボタンを押した場合に、警報ブザーの鳴動によって監視センターの監視員との通話が妨害されないようにすること。【解決手段】エレベータかご２内に居る利用者が非常呼びボタン７を押すと、警報ブザー制御回路８は警報ブザー９を鳴動させ、遠隔監視装置４は監視センター６に対して自動通報を行う。遠隔監視装置４が電話回線５を捕捉し、エレベータかご２内に居る利用者がインタホン１０により監視センター６の監視員と通話可能な状態になると、遠隔監視装置４は警報ブザー停止指令を警報ブザー制御回路８に出力し、警報ブザー９の鳴動を停止させる。【選択図】　図１
2004018224.tif 000002
【特許請求の範囲】
【請求項１】
エレベータかご内の非常呼びボタンの操作に基づき警報ブザーを鳴動させる警報ブザー制御回路と、
エレベータかご内のインタホンと監視センターとの間で電話回線を用いた通話を可能とする制御を行う遠隔監視装置と、
を備えたエレベータ遠隔監視システムにおいて、
前記遠隔監視装置は、前記インタホンからの通話要求に基づき前記監視センターに対して自動通報を行う際に警報ブザー停止指令を出力し、
前記警報ブザー制御回路は、前記警報ブザー停止指令の入力に基づき前記警報ブザーの鳴動を停止させるものである、
ことを特徴とするエレベータ遠隔監視システム。
【請求項２】
前記遠隔監視装置は、前記自動通報を行う際のオフフック時に前記警報ブザー停止指令を出力するものである、
ことを特徴とする請求項１記載のエレベータ遠隔監視システム。
【請求項３】
前記遠隔監視装置は、前記監視センターに通話要求信号を送信した後、この通話要求信号の着信を確認した旨を示す着信確認信号を前記監視センターから受信した時点で前記警報ブザー停止指令を出力し、一方、この着信確認信号を受信できなかった場合は所定時間経過後に前記警報ブザー停止指令を出力するものである、
ことを特徴とする請求項１記載のエレベータ遠隔監視システム。
【請求項４】
前記監視センターは、前記遠隔監視装置の前記警報ブザー制御回路に対する前記警報ブザー停止指令の出力を命令することが可能なものである、
ことを特徴とする請求項１乃至３のいずれかに記載のエレベータ遠隔監視システム。
【請求項５】
前記遠隔監視装置は、前記非常呼びボタンの操作に基づく警報ブザーの鳴動開始後からかご内のインタホンと監視センターとの間で通話が可能となると考えられる時間を予め設定し、この設定した時間の経過後に前記警報ブザー停止指令を出力するものである、
ことを特徴とする請求項１記載のエレベータ遠隔監視システム。
【請求項６】
前記警報ブザー制御回路は、前記警報ブザー停止指令の入力に基づき前記警報ブザーの鳴動を停止させている間に、再度前記非常呼びボタンが操作された場合に、再度警報ブザーを鳴動させるものである、
ことを特徴とする請求項１乃至５のいずれかに記載のエレベータ遠隔監視システム。
【請求項７】
前記警報ブザー制御回路は、その電源として前記インタホンのバックアップ用電源を用いたものである、
ことを特徴とする請求項１乃至６のいずれかに記載のエレベータ遠隔監視システム。
【発明の詳細な説明】
【０００１】
【発明の属する技術分野】
本発明は、エレベータかご内に設置されている非常呼びボタンが押された場合に、警報ブザーが所定時間鳴動し続けるようになっているエレベータ遠隔監視システムに関するものである。
【０００２】
【従来の技術】
エレベータかご内には非常呼びボタン及びインタホンが設置されており、かご内に居る利用者は異常事態発生時には非常呼びボタンを押すことにより、異常事態を外部に知らせることができる。すなわち、かご内の非常呼びボタンが押されると、かご内や乗り場ホールに設置されている警報ブザーが鳴動して周囲に異常事態の発生が報知され、また、かご内に居る利用者はインタホンにより内部の情況をエレベータ管理室に居る管理人など外部の人間に話すことができる。この場合、エレベータの管理人を置いていないビルでは、非常呼びボタンが押されると遠隔監視装置が監視センターに自動通報を行い、かご内に居るエレベータ利用者は遠隔監視装置及び電話回線を介して監視センターに居る監視員と通話できるようになっている。そして、警報ブザーの鳴動は、タイマ機能により一定時間経過後に停止されるようになっている。
【０００３】
【発明が解決しようとする課題】
上記のように、近時は、管理人が常駐していないビルのエレベータシステムであっても、異常事態発生時にかご内に居るエレベータ利用者は遠隔監視装置及び電話回線を介して監視センターに居る監視員と直接に通話することが可能な構成になっている。
【０００４】
しかし、かご内に居るエレベータ利用者が遠隔監視装置及び電話回線を介して監視センターに居る監視員と通話しようとする場合、かご内で鳴動している警報ブザーにより通話が妨害される事態がしばしば発生している。これはかご内のインタホン側と監視センター側との間で行う通話が片方向式通話になっているからである。
【０００５】
つまり、遠隔監視装置内には送信側及び受信側を切り換える切換スイッチが設けられており、この切換スイッチは声の大きな方を送信側に選択するようになっている。したがって、かご内の利用者が非常呼びボタンを押して警報ブザーが鳴動している間は、この警報ブザーの大きな音のために、かご内のインタホン側が常に送信側で監視センター側が受信側となり、監視センター側が送信側となることができなくなっている。そして、この警報ブザーの大きな音のために、かご内の利用者が話す内容も監視員にとっては充分明瞭に聞き取ることができない事態となっているのである。
【０００６】
本発明は上記事情に鑑みてなされたものであり、かご内に居るエレベータ利用者が非常呼びボタンを押した場合に、警報ブザーの鳴動によって監視センターの監視員との通話が妨害されることのないエレベータ遠隔監視システムを提供することを目的としている。
【０００７】
【課題を解決するための手段】
上記課題を解決するための手段として、請求項１記載の発明は、エレベータかご内の非常呼びボタンの操作に基づき警報ブザーを鳴動させる警報ブザー制御回路と、エレベータかご内のインタホンと監視センターとの間で電話回線を用いた通話を可能とする制御を行う遠隔監視装置と、を備えたエレベータ遠隔監視システムにおいて、前記遠隔監視装置は、前記インタホンからの通話要求に基づき前記監視センターに対して自動通報を行う際に警報ブザー停止指令を出力し、前記警報ブザー制御回路は、前記警報ブザー停止指令の入力に基づき前記警報ブザーの鳴動を停止させるものである、ことを特徴とする。
【０００８】
請求項２記載の発明は、請求項１記載の発明において、前記遠隔監視装置は、前記自動通報を行う際のオフフック時に前記警報ブザー停止指令を出力するものである、ことを特徴とする。
【０００９】
請求項３記載の発明は、請求項１記載の発明において、前記遠隔監視装置は、前記監視センターに通話要求信号を送信した後、この通話要求信号の着信を確認した旨を示す着信確認信号を前記監視センターから受信した時点で前記警報ブザー停止指令を出力し、一方、この着信確認信号を受信できなかった場合は所定時間経過後に前記警報ブザー停止指令を出力するものである、ことを特徴とする。
【００１０】
請求項４記載の発明は、請求項１乃至３のいずれかに記載の発明において、前記監視センターは、前記遠隔監視装置の前記警報ブザー制御回路に対する前記警報ブザー停止指令の出力を命令することが可能なものである、ことを特徴とする。
【００１１】
請求項５記載の発明は、請求項１記載の発明において、前記遠隔監視装置は、前記非常呼びボタンの操作に基づく警報ブザーの鳴動開始後からかご内のインタホンと監視センターとの間で通話が可能となると考えられる時間を予め設定し、この設定した時間の経過後に前記警報ブザー停止指令を出力するものである、ことを特徴とする。
【００１２】
請求項６記載の発明は、請求項１乃至５のいずれかに記載の発明において、前記警報ブザー制御回路は、前記警報ブザー停止指令の入力に基づき前記警報ブザーの鳴動を停止させている間に、再度前記非常呼びボタンが操作された場合に、再度警報ブザーを鳴動させるものである、ことを特徴とする。
【００１３】
請求項７記載の発明は、請求項１乃至６のいずれかに記載の発明において、前記警報ブザー制御回路は、その電源として前記インタホンのバックアップ用電源を用いたものである、ことを特徴とする。
【００１４】
【発明の実施の形態】
図１は、本発明の実施形態の構成を示すブロック図である。ビル１には、エレベータかご２、エレベータ制御装置３、及び遠隔監視装置４が設置されており、この遠隔監視装置４は電話回線５を介して監視センター６に接続されている。遠隔監視装置４は、エレベータかご２及びエレベータ制御装置３とデータの授受を行うことが可能であり、したがって、監視センター６に居る監視員は、遠隔監視装置４を通して、ビル１におけるエレベータシステムの運転情況を監視することができるようになっている。
【００１５】
エレベータかご２には、非常呼びボタン７、警報ブザー制御回路８、警報ブザー９、及びインタホン１０が設けられている。そして、異常事態が発生した際に、エレベータかご２内に居る利用者が非常呼びボタン７を押すと、非常呼びボタン７からの非常呼び信号が警報ブザー制御回路８に出力され、警報ブザー制御回路８は警報ブザー９を鳴動させる。また、非常呼びボタン７からの非常呼び信号は遠隔監視装置４にも出力されるようになっており、遠隔監視装置４はこの非常呼び信号を入力すると、監視センター６に対して自動通報を行うようになっている。遠隔監視装置４が電話回線５を捕捉し、エレベータかご２内に居る利用者がインタホン１０により監視センター６の監視員と通話可能な状態になると、遠隔監視装置４は警報ブザー停止指令を警報ブザー制御回路８に出力する。警報ブザー制御回路８は、この警報ブザー停止指令の入力に基づき、警報ブザー９の鳴動を停止させるようになっている。
【００１６】
図２は、図１における遠隔監視装置４及びエレベータかご２内の要部構成を示す回路図である。この図において、遠隔監視装置４は、切換接点１２、フォトカプラ１３、絶縁トランス１４、及びフォトカプラ１５を有する電話回線インターフェース回路１１と、リレーコイル１６と、信号出力回路１７と、ＣＰＵにより構成される制御回路１８とを備えている。切換接点１２がａ側に位置している状態は所謂オンフック状態であり、電話回線５からの信号はフォトカプラ１３及び絶縁トランス１４を介して制御回路１８に送られるようになっている。なお、絶縁トランス１４の２次側と制御回路１８との間の回路は図示を省略してある。また、切換接点１２がｂ側に位置している状態は所謂オフフック状態であり、電話回線５からの信号はフォトカプラ１５を介して制御回路１８に送られるようになっている。制御回路１８は、エレベータ制御装置３の制御情況を監視したり、通信に関する制御を行うものであり、このオフフック状態において監視センター６とインタホン１０との間の通話を可能にする。
【００１７】
リレーコイル１６は、切換接点１２がオフフック側（ｂ側）に位置した場合にオン信号を出力するようになっており、信号出力回路１７はこのオン信号の入力に基づき警報ブザー停止指令を出力するようになっている。なお、信号出力回路１７は、制御回路１８からの制御信号の入力に基づき種々の信号を出力するものである。
【００１８】
また、エレベータかご２内には、非常呼びボタン７、警報ブザー制御回路８、及び警報ブザー９が設けられており、警報ブザー制御回路８は、リレーコイル１９、接点２０，２１、タイマ２２、接点２３，２４，２５により形成されている。そして、タイマ２２に直列接続されている接点２３は常閉接点であり、信号出力回路１７からの警報ブザー停止指令により開放されるようになっている。
【００１９】
次に、図１及び図２の動作を図３のタイムチャートを参照しつつ説明する。図２において、非常呼びボタン７が時刻ｔ１に押されてオン状態になると（図３（ａ）参照）、リレーコイル１９が励磁され、その接点２１，２４がオンになる。接点２１のオンによりリレーコイル１９の励磁状態が自己保持され、また、接点２４のオンによりタイマ２２が動作して接点２５がオンになる。これによって、警報ブザー９が鳴動する（図３（ｂ）参照）。
【００２０】
一方、遠隔監視装置４側では、制御回路１８が非常呼びボタン７が押されたことを検知し、監視センター６側への自動通報動作を開始する。そして、その後ある期間Ｔ１が経過し時刻ｔ２になると、当初オンフック側（ａ側）にあった切換接点１２の位置はオフフック側（ｂ側）に切り換わる。切換接点１２がオフフック側に切り換わったことにより、エレベータかご２内に居る利用者はインタホン１０を用いて監視センター６の監視員と通話することが可能な状態になるが、そのままでは警報ブザー９が鳴動中であるため実際には通話することができない（尤も、タイマ２２の設定時間Ｔが経過すると自動的に接点２５がオフとなり警報ブザー９の鳴動は停止されるが、設定時間Ｔが経過するまでは通話することができないことに変わりはない）。しかし、この実施形態では、切換接点１２がｂ側に切り換わったことに伴ってリレーコイル１６がオン信号を出力し、信号出力回路１７が警報ブザー停止指令を出力する（図３（ｃ）参照）。これにより接点２３がオフとなるため、タイマ２２が不動作状態となり、それまでオンであった接点２５がオフになる。したがって、時刻ｔ１以後鳴動中であった警報ブザー９は時刻ｔ２で鳴動を停止する（図３（ｂ）参照）。
【００２１】
時刻ｔ２での警報ブザー９の鳴動停止により、エレベータかご２内に居る利用者と監視センター６の監視員とはそれ以降円滑に通話を行うことができる。そして、利用者と監視員との通話が終了した後、切換接点１２はオンフック状態（ａ側）に戻るが、時刻ｔ３に利用者が再度非常呼びボタン７を押すと、前と同様に警報ブザー９は鳴動を開始し（図３（ａ），（ｂ）参照）、更に、その後時刻ｔ４になって信号出力回路１７が警報ブザー停止指令を出力して警報ブザー９の鳴動が停止される。
【００２２】
上記の例では、信号出力回路１７が警報ブザー停止指令を出力するタイミングすなわち警報ブザー９の鳴動を停止させるタイミングを、切換接点１２がオフフック状態に切り換わった時点としたが、このタイミングは種々の時点に変えることができる。例えば、遠隔監視装置４の制御回路１８から監視センター６側に通話要求信号を送信した後、監視センター６がこの通話要求信号の着信を確認したことを示す着信確認信号を出力し、制御回路１８がこの着信確認信号を受信した時点で信号出力回路１７が警報ブザー停止指令を出力するようにしてもよい。
【００２３】
このような例における動作を図４のフローチャートに示す。まず、非常呼びボタン７が押されたか否かが判別され（ステップ１）、押されたならば警報ブザー９が作動して鳴動する（ステップ２）。そして、制御回路１８は、切換接点１２をオフフック側に切り換えると共に通話要求信号を送信する（ステップ３）。監視センター６側ではこの通話要求信号を受信すると遠隔監視装置４側に応答信号としての着信確認信号を送信するが、制御回路１８はこの着信確認信号の受信の有無を判別している（ステップ５）。制御回路１８は着信確認信号を受信すると信号出力回路１７にその旨を示す信号を出力し、信号出力回路１７は警報ブザー停止指令を出力する（ステップ５）。これにより、接点２３が開放し、更に接点２５が開放するので警報ブザー９が鳴動を停止する。したがって、エレベータかご２内に居る利用者は監視センター６の監視員と直接に通話することができるようになる（ステップ６）。その後、監視センター６の監視員は、エレベータかご２に居る利用者との直接通話が終了したら、その旨の信号を遠隔監視装置４側に送信する。遠隔監視装置４の制御回路１８はこの信号の受信の有無を判別しており（ステップ７）、受信した場合には切換接点１２をオンフック側に切り換えて直接通話を終了する（ステップ８）。なお、ステップ４の判別では、ある程度の時間が経過すれば遠隔監視装置４は必ず監視センター６側からの着信確認信号を受信できることを前提としているが、実際には、所定時間経過しても受信できなかった場合は信号出力回路１７に警報ブザー停止指令を出力させることになる。
【００２４】
警報ブザー９の鳴動を停止させるタイミングについては、また、利用者により非常呼びボタン７が押され警報ブザー９が鳴ってから、インタホン１０と監視センター６側との間で通話が可能になると考えられるまでの時間を予め想定して設定しておき、この設定した時間の経過後に信号出力回路１７に警報ブザー停止指令を出力させて警報ブザー９が鳴るのを停止させるようにしてもよい。
【００２５】
また、上記した例は、いずれも遠隔監視装置４側が所定のタイミングで自動的に警報ブザー停止指令を出力して警報ブザー９の鳴動を停止させるものであったが、監視センター６の監視員の操作によって任意のタイミングで警報ブザー９の鳴動を停止させることができるように、遠隔監視装置４に対して警報ブザー停止指令を出力することにつき命令できる構成とすることも可能である。
【００２６】
なお、警報ブザー制御回路８及び警報ブザー９の電源については、図５に示すように、バッテリー２６にケーブル２７を介して接続することにより、本来インタホン１０に用いられていたバッテリー２６を流用することができる。このような、バッテリー電源を用いることにより、停電時にも警報ブザー９の鳴動及びその停止を自在に制御することができる。
【００２７】
【発明の効果】
以上のように、本発明によれば、かご内に居るエレベータ利用者が非常呼びボタンを押した場合に、警報ブザーの鳴動によって監視センターの監視員との通話が妨害されることのないエレベータ遠隔監視システムを実現することができる。
【図面の簡単な説明】
【図１】本発明の実施形態の構成を示すブロック図。
【図２】図１における遠隔監視装置４及びエレベータかご２内の要部構成を示す回路図。
【図３】図１及び図２の動作を説明するためのタイムチャート。
【図４】図１及び図２の動作を説明するためのフローチャート。
【図５】図１における警報ブザー制御回路８及び警報ブザー９の電源構成を示す説明図。
【符号の説明】
１　ビル
２　エレベータかご
３　エレベータ制御装置
４　遠隔監視装置
５　電話回線
６　監視センター
７　非常呼びボタン
８　警報ブザー制御回路
９　警報ブザー
１０　インタホン
１１　電話回線インターフェース回路
１２　切換接点
１３，１５　フォトカプラ
１４　絶縁トランス
１６，１９　リレーコイル
１７　信号出力回路
１８　制御回路
２０，２１，２３，２４，２５　接点
２６　バッテリー
２７　ケーブル
【図１】
2004018224.tif 000003
【図２】
2004018224.tif 000004
【図３】
2004018224.tif 000005
【図４】
2004018224.tif 000006
【図５】
2004018224.tif 000007